(57)【要約】【課題】接眼レンズをＯＶＦ表示とＥＶＦ表示とで併用すること及び両者の重ね合わせ表示、かつ２次結像面における結像性能を考慮する要件の緩和、を実現したコンパクトな構成のファインダー光学系及び一眼レフレックスカメラを提供すること。【解決手段】１次結像面１０とリレー光学系との間の光路に配置した光路切り替え手段１２と、上記リレー光学系に対して上記１次結像面１０と光学的に等価である位置に配置したＬＣＤ３２と、を具備し、上記光路切り替え手段１２により、上記１次結像面１０からの光束が上記リレー光学系へ入射する光路と、上記画像表示手段３２からの光束が上記リレー光学系へ入射する光路とを切り替える。【選択図】      図１
2006267381.tif 000002
【特許請求の範囲】
【請求項１】
被写体からの光束を対物光学系から入射させて１次結像位置に１次結像させた被写体像を、リレー光学系により２次結像位置に２次結像させ、該２次結像した被写体像を接眼光学系を通して観察することが可能なファインダー光学系において、
上記１次結像させる面である１次結像面と上記リレー光学系との間の光路に配置した光路切り替え手段と、
上記リレー光学系に対して上記１次結像面と光学的に等価である位置に配置した、画像表示手段と、を具備し、
上記光路切り替え手段は、上記１次結像面からの光束が上記リレー光学系へ入射する光路と、上記画像表示手段からの光束が上記リレー光学系へ入射する光路とを切り替えることを特徴とするファインダー光学系。
【請求項２】
上記光路切り替え手段は、ミラー状態、ハーフミラー状態、及び素通し状態のうちいずれかの状態に切り替えることができ、
上記光路切り替え手段が、上記ミラー状態または上記ハーフミラー状態であるときは、上記１次結像面からの光束は上記光路切り替え手段に反射されて上記リレー光学系に入射し、
上記光路切り替え手段が、上記素通し状態または上記ハーフミラー状態であるときは、上記画像表示手段からの光束は上記光路切り替え手段を透過して上記リレー光学系に入射し、
上記光路切り替え手段が上記ミラー状態であるときは、上記画像表示手段から上記リレー光学系への光束は、上記光路切り替え手段により遮光されることを特徴とする請求項１に記載のファインダー光学系。
【請求項３】
上記光路切り替え手段は、ミラー状態、ハーフミラー状態、及び素通し状態のうちいずれかの状態に切り替えることができ、
上記光路切り替え手段が、上記ミラー状態または上記ハーフミラー状態であるときは、上記画像表示手段からの光束は上記光路切り替え手段に反射されて上記リレー光学系に入射し、
上記光路切り替え手段が、上記素通し状態または上記ハーフミラー状態であるときは、上記１次結像面からの光束は上記光路切り替え手段を透過して上記リレー光学系に入射し、
上記光路切り替え手段が上記ミラー状態であるときは、上記１次結像面から上記リレー光学系への光束は、上記光路切り替え手段により遮光されることを特徴とする請求項１に記載のファインダー光学系。
【請求項４】
被写体からの光束を対物光学系から入射させ後に、該光束をクイックリターンミラーにて反射させて１次結像位置に１次結像させた被写体像を、リレー光学系により２次結像位置に２次結像させ、該２次結像した被写体像を接眼光学系を通して観察することが可能なファインダー光学系において、
上記１次結像位置と上記接眼光学系との間の光路に配置した、少なくとも３つ以上の光束反射面と、
上記対物光学系から射出される光束の光軸と、上記クイックリターンミラーで反射された光束の光軸と、で形成される平面に対して略垂直方向に所望距離離れた位置に配置された画像表示手段と、
上記１次結像位置からの光束が上記リレー光学系へ入射する光路と、上記画像表示手段からの光束が上記リレー光学系へ入射する光路と、を切り替えることができる光路切り替え手段と、
を具備することを特徴とするファインダー光学系。
【請求項５】
上記光路切り替え手段は、上記光束反射面のうちの１つであり、その光束反射面の反射角度を変化させることで、上記１次結像面からの光束または上記画像表示手段からの光束のうちいずれかを、上記リレー光学系に入射させることを特徴する請求項４に記載のファインダー光学系。
【請求項６】
被写体からの光束を対物光学系から入射させて１次結像位置に１次結像させた被写体像を、リレー光学系により２次結像位置に２次結像させ、該２次結像した被写体像を接眼光学系を通して観察することが可能なファインダー光学系を具備する一眼レフレックスカメラにおいて、
上記１次結像位置と光学的に等価な位置に設けた画像表示手段と、
上記１次結像位置からの光束が上記リレー光学系へ入射する光路と上記画像表示手段からの光束が上記リレー光学系へ入射する光路とを切り替えることができる、上記１次結像位置と上記リレー光学系との間の光路に配置した光路切り替え手段と、
を具備し、
連写モードによる連写撮影が行われるときには、上記光路切り替え手段は、上記画像表示手段からの光束を上記リレー光学系に導く切り替え状態になり、上記画像表示手段には連写撮影中の画像を表示することを特徴とする一眼レフレックスカメラ。
【請求項７】
上記連写モードは、１秒間に８コマ以上の撮影を行うモードであることを特徴とする請求項６に記載の一眼レフレックスカメラ。
【請求項８】
上記光路切り替え手段は、ミラー状態、ハーフミラー状態、及び素通し状態のうちいずれかの状態に切り替えることができ、
上記光路切り替え手段が、上記ミラー状態または上記ハーフミラー状態であるときは、上記１次結像面からの光束は上記光路切り替え手段に反射されて上記リレー光学系に入射し、
上記光路切り替え手段が、上記素通し状態または上記ハーフミラー状態であるときは、上記画像表示手段からの光束は上記光路切り替え手段を透過して上記リレー光学系に入射し、
上記光路切り替え手段が上記ミラー状態であるときは、上記画像表示手段から上記リレー光学系への光束は、上記光路切り替え手段により遮光されることを特徴とする請求項６に記載の一眼レフレックスカメラ。
【請求項９】
上記光路切り替え手段は、ミラー状態、ハーフミラー状態、及び素通し状態のうちいずれかの状態に切り替えることができ、
上記光路切り替え手段が、上記ミラー状態または上記ハーフミラー状態であるときは、上記画像表示手段からの光束は上記光路切り替え手段に反射されて上記リレー光学系に入射し、
上記光路切り替え手段が、上記素通し状態または上記ハーフミラー状態であるときは、上記１次結像面からの光束は上記光路切り替え手段を透過して上記リレー光学系に入射し、
上記光路切り替え手段が上記ミラー状態であるときは、上記１次結像面から上記リレー光学系への光束は、上記光路切り替え手段により遮光されることを特徴とする請求項６に記載の一眼レフレックスカメラ。
【請求項１０】
被写体からの光束を対物光学系から入射させ後に、該光束をクイックリターンミラーにて反射させて１次結像位置に１次結像させた被写体像を、リレー光学系により２次結像位置に２次結像させ、該２次結像した被写体像を接眼光学系を通して観察することが可能なファインダー光学系において、
上記１次結像位置と上記接眼光学系との間の光路に配置した、少なくとも３つ以上の光束反射面と、
上記対物光学系から射出される光束の光軸と、上記クイックリターンミラーで反射された光束の光軸と、で形成される平面に対して略垂直方向に所望距離離れた位置に配置された画像表示手段と、
上記１次結像位置からの光束が上記リレー光学系へ入射する光路と、上記画像表示手段からの光束が上記リレー光学系へ入射する光路と、を切り替えることができる光路切り替え手段と、
を具備し、
連写モードによる連写撮影が行われるときには、上記光路切り替え手段は、上記画像表示手段からの光束を上記リレー光学系に導く切り替え状態になり、上記画像表示手段には連写撮影中の画像を表示することを特徴とする一眼レフレックスカメラ。
【請求項１１】
上記光路切り替え手段は、上記光束反射面のうちの１つであり、その光束反射面の反射角度を変化させることで、上記１次結像面からの光束または上記画像表示手段からの光束のうちいずれかを、上記リレー光学系に入射させることを特徴する請求項１０に記載の一眼レフレックスカメラ。
【請求項１２】
上記画像表示手段は、液晶表示装置であることを特徴とする請求項１乃至５のいずれかに記載のファインダー光学系。
【請求項１３】
上記画像表示手段は、液晶表示装置であることを特徴とする請求項６乃至１１のいずれかに記載の一眼レフレックスカメラ。
【発明の詳細な説明】
【技術分野】
【０００１】
本発明は、ファインダー光学系及びそれを用いた一眼レフレックスカメラに関し、特に光学式ファインダー表示と電子ビューファインダー表示との切り替えの工夫を施したファインダー光学系及び一眼レフレックスカメラに関する。
【背景技術】
【０００２】
現在、従来のライカサイズのカメラに比べて、より小さい撮像面を有する一眼レフレックスカメラが提案され、商品化もなされている。これは特に、ＣＣＤやＣＭＯＳ等の電子撮像素子を用いたいわゆるデジタル一眼レフレックスカメラであり、その市場は拡大している。
【０００３】
このような電子撮像素子を用いたデジタル一眼レフレックスカメラでは、銀塩フイルムを用いたいわゆるライカ判の一眼レフレックスカメラに比して撮像素子の面積が小さいことと、電子ビューファインダー（ＥＶＦ：Ｅｌｅｃｔｒｉｃ  Ｖｉｅｗ  Ｆｉｎｄｅｒ）や液晶ディスプレイ（ＬＣＤ：Ｌｉｑｕｉｄ  Ｃｒｙｓｔａｌ  Ｄｉｓｐｌａｙ）にて、撮影画像や撮影中の画像の確認が技術的に可能であるという特徴がある。
【０００４】
しかしながら、ＥＶＦ表示やＬＣＤの画質は、ＴＴＬ（Ｔｈｒｏｕｇｈ  Ｔｈｅ  Ｌｅｎｓ）の光学式ファインダー（ＯＶＦ：Ｏｐｔｉｃａｌ  Ｖｉｅｗ  Ｆｉｎｄｅｒ）表示に比べ被写体の色の再現性や解像度や動的感度において劣っているか、同等以上にするにはコストや消費電力的に効率がよくない。
【０００５】
一方、ＯＶＦ表示は、クイックリターンミラーが、撮影レンズからの光路をファインダー系に導いている状態の時のみ、対物光学系を通した被写体を見ることしかできない。すなわち、クイックリターンミラーが撮影レンズからの光路を撮像素子に導いているときは、いわゆるブラックアウト（又は像消失状態）と呼ばれる状態になり被写体像を観察できなくなる。
【０００６】
一般の撮影時においては、ブラックアウトになる時間が短く、あまり問題はないといえる。しかしながら、連写モードによる連写撮影の場合、クイックリターンミラーをシャッターレリーズ毎に駆動すればＯＶＦの被写体確認はできるが、クイックリターンミラーの駆動による振動や電力の消費等の問題が生じる。また、連写のスピードを早くする上でも不利となる。一方、連写モード中に、クイックリターンミラーをブラックアウトの状態にすると連写のスピードを早くする上では有利であるが、連写中の被写体の状態が確認できなくなってしまう。
【０００７】
また、撮像面が小さくなったことは、ＯＶＦの倍率をより大きくしなくてはならないことを意味する。なお、ファインダーの倍率を大きくするためには、ファインダー全系の焦点距離を短くすることが要求される。しかしながら、ファインダー全系の焦点距離を短くすることは、現在広く用いられているペンタプリズム式を構成することを困難にする。
【０００８】
上述のような一眼レフレックスカメラに関して、例えば以下に示すような提案がなされている。
【０００９】
まず、リレー式ファインダー光学系が、特許文献１に開示されている。該特許文献１に開示されたリレー式ファインダー光学系によれば、変倍可能なファインダー光学系でありながら、コンパクトな構成のファインダー光学系を実現している。
【００１０】
さらに、リレー式ファインダー光学系によるＯＶＦとＥＶＦとを、同一の接眼光学系で観察する技術が、特許文献２に開示されている。該特許文献２に開示されている技術によれば、特性のよい撮像状態確認が可能となる。
【特許文献１】特開平４−３３７７０５号公報
【特許文献２】特開平６−２４５１１４号公報
【発明の開示】
【発明が解決しようとする課題】
【００１１】
しかしながら、上記特許文献１に開示されている技術では、ＯＶＦ表示とＥＶＦ表示との切り替え、及び両者を重ね合わせた表示に関する提案がなされていない。
【００１２】
また、上記特許文献２に開示されている技術では、カメラ本体をコンパクトな構成とするための工夫がなされていない。さらに、この提案では、２次結像面付近に、ＯＶＦ表示とＥＶＦ表示とを切り替える切り替え手段を配置しているため、２次結像面における結像性能を考慮することが必要となる。
【００１３】
本発明は、接眼レンズをＯＶＦ表示とＥＶＦ表示とで併用すること及び両者の重ね合わせ表示が可能であり、かつ２次結像面における結像性能を考慮する要件が緩和され、さらにはコンパクトな構成を採らせることが可能なファインダー光学系及び該ファインダー光学系を搭載した一眼レフレックスカメラを提供することを目的とする。
【課題を解決するための手段】
【００１４】
上記の目的を達成するために、本発明の第１の態様によるファインダー光学系は、被写体からの光束を対物光学系から入射させて１次結像位置に１次結像させた被写体像を、リレー光学系により２次結像位置に２次結像させ、該２次結像した被写体像を接眼光学系を通して観察することが可能なファインダー光学系において、上記１次結像させる面である１次結像面と上記リレー光学系との間の光路に配置した光路切り替え手段と、上記リレー光学系に対して上記１次結像面と光学的に等価である位置に配置した、画像表示手段と、を具備し、上記光路切り替え手段は、上記１次結像面からの光束が上記リレー光学系へ入射する光路と、上記画像表示手段からの光束が上記リレー光学系へ入射する光路とを切り替えることを特徴とする。
【００１５】
上記の目的を達成するために、本発明の第２の態様によるファインダー光学系は、被写体からの光束を対物光学系から入射させ後に、該光束をクイックリターンミラーにて反射させて１次結像位置に１次結像させた被写体像を、リレー光学系により２次結像位置に２次結像させ、該２次結像した被写体像を接眼光学系を通して観察することが可能なファインダー光学系において、上記１次結像位置と上記接眼光学系との間の光路に配置した、少なくとも３つ以上の光束反射面と、上記対物光学系から射出される光束の光軸と、上記クイックリターンミラーで反射された光束の光軸と、で形成される平面に対して略垂直方向に所望距離離れた位置に配置された画像表示手段と、上記１次結像位置からの光束が上記リレー光学系へ入射する光路と、上記画像表示手段からの光束が上記リレー光学系へ入射する光路と、を切り替えることができる光路切り替え手段と、を具備することを特徴とする。
【００１６】
上記の目的を達成するために、本発明の第３の態様による一眼レフレックスカメラは、被写体からの光束を対物光学系から入射させて１次結像位置に１次結像させた被写体像を、リレー光学系により２次結像位置に２次結像させ、該２次結像した被写体像を接眼光学系を通して観察することが可能なファインダー光学系を具備する一眼レフレックスカメラにおいて、上記１次結像位置と光学的に等価な位置に設けた画像表示手段と、上記１次結像位置からの光束が上記リレー光学系へ入射する光路と上記画像表示手段からの光束が上記リレー光学系へ入射する光路とを切り替えることができる、上記１次結像位置と上記リレー光学系との間の光路に配置した光路切り替え手段と、連写モードによる連写撮影が行われるときには、上記光路切り替え手段は、上記画像表示手段からの光束を上記リレー光学系に導く切り替え状態になり、上記画像表示手段には連写撮影中の画像を表示することを特徴とする。
【００１７】
上記の目的を達成するために、本発明の第４の態様による一眼レフレックスカメラは、被写体からの光束を対物光学系から入射させ後に、該光束をクイックリターンミラーにて反射させて１次結像位置に１次結像させた被写体像を、リレー光学系により２次結像位置に２次結像させ、該２次結像した被写体像を接眼光学系を通して観察することが可能なファインダー光学系において、上記１次結像位置と上記接眼光学系との間の光路に配置した、少なくとも３つ以上の光束反射面と、上記対物光学系から射出される光束の光軸と、上記クイックリターンミラーで反射された光束の光軸と、で形成される平面に対して略垂直方向に所望距離離れた位置に配置された画像表示手段と、上記１次結像位置からの光束が上記リレー光学系へ入射する光路と、上記画像表示手段からの光束が上記リレー光学系へ入射する光路と、を切り替えることができる光路切り替え手段と、を具備し、連写モードによる連写撮影が行われるときには、上記光路切り替え手段は、上記画像表示手段からの光束を上記リレー光学系に導く切り替え状態になり、上記画像表示手段には連写撮影中の画像を表示することを特徴とする。
【発明の効果】
【００１８】
本発明によれば、接眼レンズをＯＶＦ表示とＥＶＦ表示とで併用すること及び両者の重ね合わせ表示が可能であり、かつ２次結像面における結像性能を考慮する要件が緩和され、さらにはコンパクトな構成を採らせることが可能なファインダー光学系及び該ファインダー光学系を搭載した一眼レフレックスカメラを提供することができる。
【発明を実施するための最良の形態】
【００１９】
以下、図面を参照して本発明の実施形態を説明する。
【００２０】
[第１実施形態]
図１は、本発明の第１実施形態に係るファインダー光学系を搭載した一眼レフレックスカメラの内部構成を概略的に示した図である。
【００２１】
まず、参照符号４が付されているのは、カメラ本体２に対して交換可能な撮影レンズである。なお、該撮影レンズ４は、カメラ本体２に固定される構成としても勿論よい。
【００２２】
被写体（不図示）から発した光束は、上記撮影レンズ４に入射し、さらに射出して上記カメラ本体２に入射する。以下、該光束の軌跡を辿って、本実施形態に係るファインダー光学系を搭載したカメラ本体２の内部構成を説明する。
【００２３】
上記撮影レンズ４から射出した光束は、次にクイックリターンミラー６で反射される。ここでは、図１に示すように、上記光束をほぼ９０°反射させている。また、上記クイックリターンミラー６をハーフミラーを用いた構成としており、これにより上記クイックリターンミラー６において上記光束を一部透過させ、上記光束を焦点検出手段（図１及び図２においては不図示）に導くことができる。
【００２４】
以降、上記撮影レンズ４から射出した光束の光軸が、上記クイックリターンミラー６にて反射される位置を基準として、以下のように方向を定義する。
【００２５】
上記撮影レンズ４から射出された光束の光軸に垂直であり、かつ上記クイックリターンミラー６で光軸にて該光束が反射される方向を上方向とする。また、該上方向と逆方向を下方向とする。さらに、上記撮影レンズ４における光軸と平行であり、かつ上記撮影レンズ４へ向かう方向を被写体方向とする。同様に、上記撮影レンズ４における光軸と平行であり、かつ上記撮影レンズ４へ向かう方向と逆の方向を観察者方向とする。
【００２６】
上記クイックリターンミラー６にて上方向へ反射された光束は、後述する撮像素子８と光学的に等価の位置（１次結像位置）に配置された焦点板１０に入射する。つまり、撮像素子８で結像する場合には焦点板１０（１次結像面）でも結像する構成としている（図２の説明にて詳述する）。
【００２７】
なお、上記撮像素子８は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の電子撮像素子で構成される。この撮像素子８による撮影画像が、ＥＶＦ表示時にＬＣＤ３２に表示されることになる。また、上記焦点板１０はコンデンサー機能を有してもよい。
【００２８】
上記焦点板１０を射出した光束は、光路切り替え手段１２（詳細は後述）にて、被写体方向へ反射される。続いて、該光束の光軸がミラー１４にて、上方向へ反射される。あるいは、被写体方向及び上方向の成分を持つように反射されるよう構成してもよい。すなわち、光束の光軸の方向が、被写体方向と上方向との間の範囲内となるように反射させるようにしても良い。
【００２９】
上記ミラー１４にて反射された光束は、次にミラー１６にて観察者方向へ反射される。この反射により、光束の光軸は、およそ撮影レンズ４の光軸と平行になる。続いてリレー光学系を形成する正のレンズ群１８を透過し、該レンズ群１８によりレンズ作用を受ける。なお、リレー光学系の一部を、上記ミラー１４と上記ミラー１６との間に配置しても良い。
【００３０】
上記レンズ群１８にて反射された光束は、続いてミラー２０で反射される。このミラー２０での反射により、光束の光軸は、下方向あるいは被写体方向と下方向の成分を持つよう屈曲される。その後、ミラー２２にて、光束は観察者方向に反射される。
【００３１】
ここで、同図に示すように、上記ミラー２０と上記ミラー２２との間に正のレンズ群２４を配置させることで、リレー光学系の結像性能の向上と瞳伝達性能の向上を図ってもよい。
【００３２】
上記ミラー２２で反射された光束は、次に２次結像位置近傍に配置されたコンデンサーレンズ２６に入射する。本実施形態においては、コンデンサーレンズ２６は、同図に示すように被写体側に凸面を有する形状の平凸レンズを用いる。また、上記コンデンサーレンズ２６の平面側と、２次結像位置である２次結像面２８とを実質一致させている。
【００３３】
上記コンデンサーレンズ２６を経た後、光束は、接眼光学系３０にてレンズ作用を受けてカメラ本体２から射出する。この光束を、観察者（不図示）が、その瞳をアイポイント３１に置いて覗くことで、被写体像を確認することができる。
【００３４】
以下、上記光路切り替え手段１２について詳述する。
【００３５】
上記光路切り替え手段１２は、ミラー部１２ａ、素通し部１２ｂ、及びハーフミラー部１２ｃを有している。ここで、上記光路切り替え手段１２は、例えば、上記ミラー部１２ａ、上記素通し部１２ｂ、及びハーフミラー部１２ｃを、同一の透明なガラス基板上に形成することにより作成することができる。なお、上記素通し部１２ｂは、無色透明な材料で構成してもよいし、空間（即ち何もない状態）として構成してもよい。ここでは、このような構成の光路切り替え手段１２を、１次結像面である焦点板１０に対して約４５°の角度を持つように配置する。なお、ミラー部１２ａのミラー面は、ミラー１４側に形成されている。
【００３６】
以下、ＯＶＦ及びＥＶＦと、上記光路切り替え手段１２との関係について説明する。
【００３７】
ＯＶＦとしてのファインダー光学系を形成するためには、１次結像面である焦点板１０からの光束の光路上に、ミラー部１２ａを配置する。これにより、１次結像面である焦点板１０からの光束が、リレー光学系に導かれる。つまり、ＯＶＦとしてのファインダー光学系が形成される。
【００３８】
また、ＥＶＦとしてのファインダー光学系を形成するためには、１次結像面である焦点板１０からの光束の光路上に、素通し部１２ｂを配置する。これにより、１次結像位置である焦点板１０と光学的に実質等価の位置に配置されたＬＣＤ３２からの光束が、リレー光学系に導かれる。つまり、ＥＶＦとしてのファインダー光学系が形成される。なお、このとき、撮影レンズ４からの光束は、上記光路切り替え手段１２を透過してしまうため、リレー光学系には入射しない。ただし、光路切り替え手段１２が、この素通し部１２ｂにより素通し状態となっている場合、撮影レンズ４からの光束を遮光し、光路切り替え手段１２付近での迷光を極力少なくする構成をとらせることが好ましい。
【００３９】
さらに、ＯＶＦ表示とＥＶＦ表示とを重ねて観察するためには、１次結像面である焦点板１０からの光束の光路上に、ハーフミラー部１２ｃを配置する。これにより、撮影レンズ４からの光束及びＬＣＤ３２からの光束が、ともにリレー光学系へ入射するので、ＯＶＦ表示とＥＶＦ表示とを重ねて観察することができる構成となる。なお、ＥＶＦ表示としては、撮影画像等を表示してもよいし、視野内表示をおこなっても勿論良い。
【００４０】
図２は、本実施形態に係る一眼レフレックスカメラの撮影時における内部構成を概略的に示した図である。同図に示すように、撮影時においては、クイックリターンミラー６は、光路から退避させられる。したがって、被写体（不図示）から発した光束は、撮影レンズ４に入射し、その後射出してフィルタ３４、フィルタ３６を透過して撮像素子８へ入射する。
【００４１】
なお、上記フィルタ３４及び上記フィルタ３６は、赤外カットフィルタ、ローパスフィルタ、防塵フィルタ等の機能を有する。また、ここでは、２つのフィルタを想定したが、フィルタの個数は２つに限らないことは勿論である。
【００４２】
なお、本実施形態に係る一眼レフレックスカメラにおいては、リレー光学系であるレンズ群１８及びレンズ群２４を合わせた主点位置を、概ね上記１次結像面と上記２次結像面との中間点付近、若しくは上記２次結像面よりに配置できる構成であるため、リレー光学系の倍率を０．６倍以上１倍以下にすることができる。
【００４３】
以下、図３を参照して、本第１実施形態に係る一眼レフレックスカメラのシステム構成を説明する。なお、図３は、本第１実施形態に係る一眼レフレックスカメラのシステム構成を示すブロック図である。
【００４４】
本第１実施形態に係る一眼レフレックスカメラは、カメラ本体２に対し撮影レンズ４を収納したレンズ鏡筒１００が着脱自在とされ、所望のレンズ鏡筒に交換可能となっている。
【００４５】
ここで、上記カメラ本体２の制御は、ボディ制御用マイクロコンピュータ（以下、Ｂｕｃｏｍと称する）１０２が行う。また、レンズ鏡筒１００の制御は、レンズ制御用マイクロコンピュータ（以下、Ｌｕｃｏｍと称する）１０４が行う。そして、上記Ｂｕｃｏｍ１０２と上記Ｌｕｃｏｍ１０４とは、カメラ本体２とレンズ鏡筒１００との合体時においては、通信コネクタ１０６を介して電気的接続がなされ、互いに通信可能となる。なお、このとき、Ｌｕｃｏｍ１０４が、Ｂｕｃｏｍ１０２に従属的に協働しながら稼動するようになっている。
【００４６】
以下、レンズ鏡筒１００内の構成を説明する。
【００４７】
図３においては、撮影レンズ４を構成する複数の光学レンズを、１つの光学レンズで代表して図示した。なお、該撮影レンズ４は、図１及び図２における撮影レンズ４に対応する。この撮影レンズ４は、レンズ駆動機構１１０内に存在する図示しないＤＣモータにより、その光軸方向に駆動される。
【００４８】
また、撮影レンズ４の後方には、絞り１１２が設けられている。この絞り１１２は、絞り駆動機構１１４内に存在する図示しないステッピングモータによって開閉駆動される。絞り１１２の開閉が制御されることによって、撮影レンズ４を介してカメラ本体２に入射する被写体からの光束の光量が制御される。
【００４９】
ここで、レンズ駆動機構１１０内のＤＣモータの制御、及び絞り駆動機構１１４内のステッピングモータの制御は、Ｂｕｃｏｍ２０１の指令を受けたＬｕｃｏｍ１０１によって行われる。
【００５０】
以下、カメラ本体２の内部の構成を説明する。
【００５１】
まず、クイックリターンミラー６、焦点板１０、光路切り替え手段１２、ミラー１４、ミラー１６、レンズ群１８、ミラー２０、ミラー２２、レンズ群２４、コンデンサーレンズ２６、及び接眼光学系３０を有するファインダー装置が設けられている。
【００５２】
カメラ２が通常状態にある場合には、撮影レンズ４を介して入射した被写体からの光束の一部がクイックリターンミラー６で反射される。これによって、観察用の像が形成される。
【００５３】
また、測光回路１１６が設けられており、該測光回路１１６は、上記リレー光学系からの光束に基づいて測光処理を行う。具体的には、上記測光回路１１６では、該測光回路１１６内のホトセンサ（不図示）で検出されたミラー２０面での光束の光量に基づき周知の測光処理が行われる。測光回路１１６で処理された結果は、Ｂｕｃｏｍ１０２に送信される。Ｂｕｃｏｍ１０２では、測光回路１１６から入力された結果に基づいて撮影時の露光量が演算される。この結果は、Ｂｕｃｏｍ１０２からＬｕｃｏｍ１０４に送信される。Ｌｕｃｏｍ１０４では、Ｂｕｃｏｍ１０２から通知された露光量に基づいて絞り１１２の駆動制御が行われる。
【００５４】
また、クイックリターンミラー６を透過してサブミラー１１８で反射された光束は自動焦点調節処理（ＡＦ処理）を行うためのＡＦセンサユニット１２０に導かれる。ＡＦセンサユニット１２０の内部には、例えば位相差方式のＡＦを行うためのＡＦセンサが設けられている。このＡＦセンサに入射した光束は電気信号に変換される。ＡＦセンサユニット１２０のＡＦセンサからの出力は、ＡＦセンサ駆動回路１２２を介してＢｕｃｏｍ１０２へ送信される。そして、Ｂｕｃｏｍ１０２において測距処理が行われ、焦点調節に必要な撮影レンズ４の駆動量が演算される。この結果は、Ｂｕｃｏｍ１０２からＬｕｃｏｍ１０４に送信される。Ｌｕｃｏｍ１０４では、Ｂｕｃｏｍ１０２から通知された駆動量に基づいて撮影レンズ４の駆動制御が行われる。
【００５５】
このような制御を行うことから、上記ＡＦセンサユニット２０及び上記Ｂｕｃｏｍ１０２にから構成される部分が、焦点検出手段であると言える。
【００５６】
また、カメラ２が撮影動作状態にあるときには、クイックリターンミラー６が撮影レンズ４の光軸から退避する所定のアップ位置に移動される。このようなクイックリターンミラー６の駆動は、ミラー駆動機構１２４によって行われる。また、ミラー駆動機構１２４の制御は、Ｂｕｃｏｍ１０２によって行われる。ここで、クイックリターンミラー６がアップ位置に移動された場合には、それに伴ってサブミラー１１８が折り畳まれるようになっている。
【００５７】
クイックリターンミラー６がアップ位置に移動されることによって、撮影レンズ４を透過した被写体からの光束は、シャッタ部１２６の方向に入射する。該シャッタ部は、フォーカルプレーン式であり、該シャッタ部１２６を構成する先幕と後幕とを駆動するためのばね力は、シャッタチャージ機構１２８によってチャージされる。また、先幕と後幕の駆動は、シャッタ制御回路１３０によって行われる。これらシャッタチャージ機構１２８及びシャッタ制御回路１３０は、Ｂｕｃｏｍ１０２によって制御される。
【００５８】
シャッタ部１２６を通過した光束は、シャッタ部１２６の後方に配置された撮像ユニット１３２内部の撮像素子８に入射する。この撮像素子８は、当該撮像素子８と撮影レンズ４との間に配設された上記フィルタ３４，３６の１つに相当する防塵フィルタ１３４によって保護されている。防塵フィルタ１３４は、例えばガラス等の透明部材で構成されている。
【００５９】
また、防塵フィルタ１３４の周縁部には、該防塵フィルタ１３４を所定の振動周波数で振動させるための圧電素子１３６が取り付けられている。圧電素子１３６は、２つの電極を有しており、防塵フィルタ駆動回路１３８によって駆動される。また、防塵フィルタ駆動回路１３８の制御は、Ｂｕｃｏｍ１０２によって行われる。防塵フィルタ駆動回路１３８によって圧電素子１３６を振動させることによって、防塵フィルタ１３４が振動する。これによって、防塵フィルタ１３４の表面に付着した塵埃が払い落とされる。
【００６０】
ここで、撮像素子８と圧電素子１３６とは、防塵フィルタ１３４を一面とするケース内に一体的に収納されて撮像ユニット１３２として提供されている。これにより、撮像素子８への塵埃の付着を確実に防止することができる。
【００６１】
また、撮像ユニット１３２の近傍には、温度測定回路１４０が設けられている。通常、温度はガラス製の物材の弾性係数に影響する。つまり、温度の変化は防塵フィルタ１３４の固有振動数を変化させる要因の１つとなるため、防塵フィルタ１３４を振動させる際には、常にその周辺温度が計測されるようにしている。なお、温度測定回路１４０の温度測定ポイントは防塵フィルタ１３４の振動面の極近傍に設定することが好ましい。このように、温度の変化を考慮しながら防塵フィルタ１３４の振動を制御することにより、常に最適な条件で防塵フィルタ１３４を振動させることが可能である。
【００６２】
撮像素子８で得られた電気信号（画像信号）は、所定タイミング毎に撮像インターフェイス回路１４２を介して読み出されてデジタル化される。撮像インターフェイス回路１４２でデジタル化されて得られた画像データは、画像処理コントローラ１４４を介してＳＤＲＡＭなどで構成されたバッファメモリ１４６に格納される。ここで、バッファメモリ１４６は、画像データなどのデータの一時保管用メモリであり、画像データに各種処理が施される際のワークエリアなどに利用される。
【００６３】
また、電子ビューファインダー（ＥＶＦ）表示が行われる時には、撮像インターフェイス回路１４２を介して読み出され、バッファメモリ１４６に格納された画像データが画像処理コントローラ１４４によって読み出される。画像処理コントローラ１４４によって読み出された画像データは、ＥＶＦ表示用のホワイトバランス補正などの画像処理が施された後、バッファメモリ１４６に格納される。その後、バッファメモリ１４６に格納された画像データは、フレーム単位で画像処理コントローラ１４４によって読み出されてビデオ信号に変換される。このビデオ信号は、表示用の所定のサイズにリサイズされた後、表示手段としてのＬＣＤ３２に表示される。なお、ＥＶＦ表示は、撮影動作前、即ちクイックリターンミラー６がアップ位置にある場合にのみ行われる。
【００６４】
また、撮影終了後には、撮像インターフェイス回路１４２を介して読み出され、バッファメモリ１４６に格納された画像データが画像処理コントローラ１４４によって読み出される。画像処理コントローラ１４４によって読み出された画像データは、ホワイトバランス補正や、階調補正、色補正などの周知の画像処理が施された後、バッファメモリ１４６に格納される。その後、バッファメモリ１４６に格納された画像データが画像処理コントローラ１４４によって読み出されてビデオ信号に変換され、表示用の所定のサイズにリサイズされた後、液晶モニタ１４８に出力表示される。ユーザは、液晶モニタ１４８に表示された画像により、撮影した画像を確認することができる。
【００６５】
また、画像記録時には、バッファメモリ１４６に格納された画像データが、画像処理コントローラ１４４によって読み出されて、ＪＰＥＧ方式などの周知の圧縮方式によって圧縮される。ＪＰＥＧ圧縮によって得られたＪＰＥＧデータは、バッファメモリ１４６に格納された後、所定のヘッダ情報が付加されたＪＰＥＧファイルとしてＦｌａｓｈＲＯＭ１５０や記録メディア１５２に記録される。ここで、ＦｌａｓｈＲＯＭ１５０はカメラ本体２に内蔵のメモリを想定しており、記録メディア１５２はカメラ本体２の外部に装着されるものを想定している。記録メディア１５２としては、例えばカメラ本体２に着脱自在に構成されたメモリカードやハードディスクドライブなどが用いられる。
【００６６】
また、ＦｌａｓｈＲＯＭ１５０や記録メディア１５２に記録されたＪＰＥＧファイルから画像を再生する際には、ＦｌａｓｈＲＯＭ１５０や記録メディア１５２に記録されたＪＰＥＧデータが画像処理コントローラ１４４によって読み出されて伸長される。その後、この伸長データがビデオ信号に変換された後、表示用の所定のサイズにリサイズされ、液晶モニタ１４８に出力表示される。
【００６７】
また、Ｂｕｃｏｍ１０２には、カメラ制御に必要な所定の制御パラメータを記憶する不揮発性メモリ１５４がアクセス可能に接続されている。この不揮発性メモリ１５４は、例えば書き換え可能なＥＥＰＲＯＭで構成されている。
【００６８】
更に、Ｂｕｃｏｍ１０２には、電源回路１５６を介して電源としての電池１５８が接続されている。電源回路１５６では、電池１５８の電圧が、当該カメラシステムの各部が必要とする電圧に変換され、当該カメラシステムの各部に供給される。
【００６９】
更に、Ｂｕｃｏｍ１０２には、当該カメラ本体２の動作状態を表示出力によってユーザに告知するための動作表示用ＬＣＤ１６０と、当該カメラ本体２の各種操作部材の操作状態を検出するためのカメラ操作スイッチ（ＳＷ）１６２とが接続されている。
【００７０】
本実施形態では、カメラ操作ＳＷ１６２からカメラ連写モードが指示され、さらに撮影開始の指示がなされた場合に、Ｂｕｃｏｍ１０２の制御により、ミラー駆動機構１２４によってクイックリターンミラー６がＵＰ状態に切り替わると共に、光路切り替え手段駆動機構１６４により光路切り替え手段１２が、ＬＣＤ３２からの光路を接眼光学系３０に導く状態に駆動される。つまり、このとき、光路切り替え手段１２の素通し部１２ｂが、接眼光学系の光路に挿入される。
【００７１】
なお、クイックリターンミラー６の駆動とは関係なく、カメラ操作ＳＷ１６２からの指示で、Ｂｕｃｏｍ１０２の制御により光路切り替え手段駆動機構１６４が光路切り替え手段１２を駆動させるシステム構成を採っても勿論よい。
【００７２】
以上説明したように、本第１実施形態に係るファインダー光学系及び該ファインダー光学系を搭載した一眼レフレックスカメラ２によれば、接眼レンズをＯＶＦ表示とＥＶＦ表示とで併用すること及び両者の重ね合わせ表示が可能であり、かつ２次結像面における結像性能を考慮する要件が緩和され、さらにはコンパクトな構成を採らせることが可能なファインダー光学系及び該ファインダー光学系を搭載した一眼レフレックスカメラを提供することができる。また、リレー光学式で構成することで、撮像面が小さい一眼レフカメラ等に好適となる。
【００７３】
したがって、比較的小さい撮像素子に対応した一眼レフレックスカメラに対しても適用可能で、接眼レンズをＯＶＦ表示とＥＶＦ表示とで併用することが可能であるコンパクトなファインダー光学系及び該ファインダー光学系を搭載した一眼レフレックスカメラ、さらにはＯＶＦ表示とＥＶＦ表示との切り替え及び重ね合わせ表示も可能であるファインダー光学系及び該ファインダー光学系を搭載した一眼レフレックスカメラを提供することができる。
【００７４】
さらに、本実施形態によれば、連写モードによる連写撮影の前後の時間は、ＯＶＦにて良好な被写体像を省電力で確認でき、連写モードによる撮影中は、撮影者の目とカメラ本体との位置関係を変えることなく撮影中の被写体をＥＶＦで確認できる。例えば、主要被写体の移動や連写を終了するタイミングを把握することに対応しやすくなる。
【００７５】
なお、ＥＶＦでの表示画像は、撮影画像そのものの画像でも良いし、撮影と撮影の間のタイミングでＥＶＦ用に取り込んだ画像でもよい。もちろん、その両方でもよい。また、動画表示をしてもよい。また、所定の操作を行うことで、ＥＶＦにて、撮影した画像の確認及びＯＶＦとの重ね合わせ表示を行ってもよい。
【００７６】
また光路切り替え手段１２は、ミラー部、ハーフミラー部、及び透明な平行平面板をその都度スライドさせて、各状態の切り替えを行う構成としてもよい。また、このとき、ミラー部、ハーフミラー部、及び透明な平行平面板を同一の平行平面板に構成しても、勿論よい。
【００７７】
なお、本第１実施形態によれば、レンズ群１８とレンズ群２４とを合わせた主点位置を、概ね１次結像面と２次結像面との中間点付近、若しくは２次結像面よりに配置できる構成となる。したがって、上記リレー光学系の倍率βを、
０．６≦β≦１          …（１）
とすることが可能である。
【００７８】
上記リレー光学系の倍率βが、上記式（１）の下限を下回る場合は、上記リレー光学系の主点が、上記２次結像面に近付き過ぎ、また収差補正が難しくなりリレー光学系及び画像表示手段の配置が難しくなる。一方、上記式（１）の上限を超える場合は、画像表示手段の画面サイズが大きくなってしまい好ましくない。
【００７９】
[第２実施形態]
次に、本発明の第２実施形態に係る一眼レフレックスカメラについて説明する。なお、第１実施形態における構成部材と同様の部材には、本実施形態においても同様の符号を付した。以下、上記第１実施形態に係る一眼レフレックスカメラとの構成の違いを明確にしながら、本第２実施形態に係る一眼レフレックスカメラについて説明する。
【００８０】
本実施形態に係る一眼レフレックスカメラでは、光路切り替え手段１２による光路切り替え作用は、次に示すようである。まず、１次結像面である焦点板１０と上記リレー光学系との間の光路上に、ミラー部１２ａ又はハーフミラー部１２ｃを挿入した場合には、ＬＣＤ３２からの光束を反射し、該光束は上記リレー光学系に導かれる。一方、１次結像面である焦点板１０と上記リレー光学系との間の光路上に、素通し部１２ｂ又はハーフミラー部１２ｃを挿入した場合には、上記焦点板１０からの光束は、光路切り替え手段１２を透過し、上記リレー光学系に導かれる。
【００８１】
図４は、本発明の第２実施形態に係るファインダー光学系を搭載した一眼レフレックスカメラのカメラ本体３の内部構成を概略的に示した図である。撮影レンズ４が、カメラ本体３に対して交換可能又は交換不可能に取り付けられている。
【００８２】
被写体（不図示）から発した光束は、上記撮影レンズ４に入射し、さらに射出して上記カメラ本体３に入射する。以下、該光束の軌跡を辿って、本実施形態に係るファインダー光学系を搭載した一眼レフレックスカメラの内部構成を説明する。
【００８３】
上記撮影レンズ４から射出した光束は、次にクイックリターンミラー６で反射される。ここでは、図４に示すように、上記光束をほぼ９０°反射させている。また、上記クイックリターンミラー６としてハーフミラーを用い、該クイックリターンミラー６において上記光束を一部透過させ、上記光束を焦点検出手段（不図示）に導くことができるようになっている。
【００８４】
上記クイックリターンミラー６にて反射された光束は、上記第１実施形態と同様に、撮像素子８と光学的に等価の位置（１次結像位置）に配置された焦点板１０に入射する。
【００８５】
上記焦点板１０を射出した光束は、光路切り替え手段１２に達する。光路切り替え手段１２として、素通し部１２ｂまたはハーフミラー部１２ｃが挿入された場合には、上記焦点板１０からの光束は、光路切り替え手段１２を透過し、ミラー１６に至る。一方、光路切り替え手段１２として、ミラー部１２ａまたはハーフミラー部１２ｃが挿入された場合には、上記ＬＣＤ３２からの光束が、光路切り替え手段１２に反射され、ミラー１６に至る。
【００８６】
言い換えれば、上記焦点板１０と上記リレー光学系との間の光路に、ミラー部１２ａまたはハーフミラー部１２ｃを挿入した場合は、上記ＬＣＤ３２からの光束が、上記光路切り替え手段１２に反射されて上記リレー光学系に入射する。また、上記焦点板１０と上記リレー光学系との間の光路に、素通し部１２ｂまたはハーフミラー部１２ｃを挿入した場合は、上記焦点板１０からの光束が、上記光路切り替え手段１２を透過して上記リレー光学系に入射する。
【００８７】
上記光路切り替え手段１２を経た光束は、ミラー１６にて観察者方向へ反射される。以降、上記第１実施形態と同様、正のレンズ群１８、ミラー２０、正のレンズ群２４、ミラー２２、コンデンサーレンズ２６、及び接眼光学系３０を経て、カメラ本体３から射出する。この光束を、観察者（不図示）が、その瞳をアイポイント３１に置いて覗くことで、被写体像を確認することができる。
【００８８】
以下、本実施形態に係る上記光路切り替え手段１２について詳述する。
【００８９】
上記光路切り替え手段１２は、ミラー部１２ａ、素通し部１２ｂ、及びハーフミラー部１２ｃを有している。ここで、上記光路切り替え手段１２は、例えば、上記ミラー部１２ａ、上記素通し部１２ｂ、及びハーフミラー部１２ｃを、同一の透明なガラス基板上に形成することにより作成することができる。なお、上記素通し部１２ｂは、無色透明な材料で構成してもよいし、空間（即ち何もない状態）として構成してもよい。ここでは、１次結像面である焦点板１０に対して約４５°の角度を持つように配置する。
【００９０】
なお、上記ミラー部１２ａは、光路切り替え手段１２のＬＣＤ３２側に形成されており、その裏側は遮光部となっている。
【００９１】
以下、本実施形態におけるＯＶＦ及びＥＶＦと、上記光路切り替え手段１２との関係について説明する。
【００９２】
ＯＶＦとしてのファインダー光学系を形成するためには、１次結像面である焦点板１０からの光束の光路上に、素通し部１２ｂを配置する。これにより、１次結像面である焦点板１０からの光束が、リレー光学系に導かれる。つまり、ＯＶＦとしてのファインダー光学系が形成される。
【００９３】
また、ＥＶＦとしてのファインダー光学系を形成するためには、１次結像面である焦点板１０からの光束の光路上に、ミラー部１２ａを配置する。これにより、１次結像位置である焦点板１０と光学的に実質等価の位置に配置されたＬＣＤ３２からの光束が、リレー光学系に導かれる。つまり、ＥＶＦとしてのファインダー光学系が形成される。なお、このとき、撮影レンズ４からの光束は、上記光路切り替え手段１２で遮光されるため、リレー光学系には入射しない。
【００９４】
さらに、ＯＶＦ表示とＥＶＦ表示とを重ねて観察するためには、１次結像面である焦点板１０からの光束の光路上に、ハーフミラー部１２ｃを配置する。これにより、撮影レンズ４からの光束及びＬＣＤ３２からの光束が、ともにリレー光学系へ入射するので、ＯＶＦ表示とＥＶＦ表示とを重ねて観察することができる構成となる。なお、ＥＶＦ表示としては、撮影画像等を表示してもよいし、視野内表示をおこなっても勿論良い。
【００９５】
以上説明したように、上記第１実施形態に係る一眼レフレックスカメラと本実施形態に係る一眼レフレックスカメラとの構成上の主な相違点は、上記焦点板１０から上記ミラー１６に至るまでの部分の装置構成である。したがって、撮影時における装置構成の変化（クイックリターンミラー６の位置が変化する）、及びそれに関連する事項については、第１実施形態において図２を参照して説明したものと同様であるので、ここでは省略する。
【００９６】
また、本第２実施形態に係る一眼レフレックスカメラのシステム構成は、図３に示すブロック図を参照して説明した上記第１実施形態に係る一眼レフレックスカメラのシステム構成と、上記相違点を除いて同様であるので、重複を避けるために説明を省略する。
【００９７】
以上説明したように、本第２実施形態に係るファインダー光学系及び該ファインダー光学系を搭載した一眼レフレックスカメラによれば、上記第１実施形態と同様の効果を奏することができる。
【００９８】
なお、本実施形態も、上記第１実施形態と同様の変形が可能なことは勿論である。
【００９９】
［第３実施形態］
次に、本発明の第３実施形態に係る一眼レフレックスカメラについて説明する。なお、第１実施形態または第２実施形態における構成部材と同様の部材には、本実施形態においても同様の符号を付した。以下、上述の各実施形態に係る一眼レフレックスカメラとの構成の違いを明確にしながら、本第３実施形態に係る一眼レフレックスカメラについて説明する。
【０１００】
図５は、本発明の第３実施形態に係るファインダー光学系を搭載した一眼レフレックスカメラのカメラ本体５の内部構成（ＯＶＦ時）を概略的に示した図である。同様に、図６は、本実施形態におけるカメラ本体５の内部構成（ＥＶＦ時）を概略的に示す図である。
【０１０１】
本実施形態では、ＥＶＦに用いる表示装置であるＬＣＤ３２（図５では不図示）を、対物光学系である撮影レンズ４から射出される光束の光軸とクイックリターンミラー６で反射された光束の光軸とで形成される平面に対してほぼ垂直方向から、光束が光路変換手段４０に入射するように配置する。さらに、ＬＣＤ３２の配置位置は、光路変換手段４０に対して、１次結像位置（焦点板１０）と光学的に等価な位置であるとする。
【０１０２】
以下、図５を参照して、本実施形態に係る一眼レフレックスカメラについて説明する。
【０１０３】
ＯＶＦ時は、上記第２実施形態と同様、被写体（不図示）から発した光束が、撮影レンズ４、及びクイックリターンミラー６を経て、焦点板１０に入射する。
【０１０４】
上記焦点板１０を射出した光束は、回転可能に構成されている光路変換手段４０に入射する。この光路変換手段４０は、下方向から入射する１次結像面である焦点板１０からの光束をミラー１４方向へ反射させる光路と、上記ＬＣＤ３２からの光束をミラー１４方向へ反射させる光路とを切り替えることができるミラーで構成している。
【０１０５】
以下、上記光路変換手段４０と、ＯＶＦ表示及びＥＶＦ表示の切り替えとの関係について説明する。
【０１０６】
まず、ＯＶＦ表示を行うためには、上記光路変換手段４０を、１次結像面である焦点板１０からの光束をミラー１４方向へ反射させる状態にする。これにより、焦点板１０からの光束がリレー光学系に入射する。つまり、ＯＶＦ表示が行われる状態となる。
【０１０７】
一方、ＥＶＦ表示を行うためには、上記光路変換手段４０を、ＬＣＤ３２からの光束をミラー１４方向へ反射させる状態にする。これにより、ＬＣＤ３２からの光束がリレー光学系に入射する。つまり、ＥＶＦ表示が行われる状態となる。
【０１０８】
上述のように光路を切り替えることで、ＯＶＦ表示とＥＶＦ表示とを切り替える。
【０１０９】
なお、図５においては、同図をより見やすくするためにＬＣＤ３２を不図示としているが、実際には、上述したように当該紙面に対して奥側に配置されていることに変わりは無い。
【０１１０】
以下、同図を参照して、ＯＶＦ表示を行う状態を説明する（ＥＶＦ表示については図６を参照して後述する）。
【０１１１】
上記光路変換手段４０により反射された光束は、ミラー１４においては、光束の光軸が、上方向へ反射される。あるいは、被写体方向及び上方向の成分を持つように反射されても良い。その後、上記第１実施形態と同様、ミラー１６、正のレンズ群１８、ミラー２０、正のレンズ群２４、ミラー２２、コンデンサーレンズ２６、及び接眼光学系３０を経てカメラ本体５から射出する。この光束を、観察者（不図示）が、その瞳をアイポイント３１に置いて覗くことで、被写体像を確認することができる。
【０１１２】
以下、図６を参照して、本実施形態に係る一眼レフレックスカメラのＥＶＦ時を説明する。なお、ＬＣＤ３２と光路変換手段４０との位置関係を見やすくするために、同図においては、光路変換手段４０を点線で表現する。しかしながら実際は、光路変換手段４０は、当該紙面に対してほぼ４５°傾いたミラー面を有している。
【０１１３】
図６に示されるように、ＥＶＦ表示状態においては、クイックリターンミラー６を対物光学系の光路から退避させる。これにより、撮影レンズ４から射出される光束は、撮像素子８へ入射され撮影可能状態となり、かつリレー光学系への光束の入射を防ぐことで迷光を軽減させることができる。
【０１１４】
上記光路変換手段４０自体の回転（図７の説明にて詳述）によって、上述のようにＯＶＦ表示状態とＥＶＦ表示状態とを切り替えることができる。したがって、光路変換手段４０を接眼光学系の光路から退避させるスペースが不要となるため、カメラ本体５のボディレイアウトの効率を改善させ、カメラ本体の小型化に有効に作用する。
【０１１５】
以下、図７を参照して、上記光路変換手段４０の回転動作について説明する。（ａ）はＯＶＦ表示状態時のクイックリターンミラー６、焦点板１０、ＬＣＤ３２、及び光路変換手段４０の状態を示す図であり、（ｂ）はＥＶＦ表示状態時のクイックリターンミラー６、焦点板１０、ＬＣＤ３２、及び光路変換手段４０の状態を示す図である。
【０１１６】
ＯＶＦ表示状態時は、図７（ａ）に示すように、被写体からの光束が、クイックリターンミラー６に反射され焦点板１０において１次結像した後、光路変換手段４０によりミラー１４方向へ反射される。ここで、光路変換手段４０は、同図に示す両矢印の方向に回転可能に構成されているため、同図に示すような角度を持たせることができる。
【０１１７】
一方、ＥＶＦ表示状態時は、図７（ｂ）に示すように、ＬＣＤ３２からの光束を、ミラー１４方向へ反射させる。（ａ）に示した場合と同様で、光路変換手段４０は、同図に示す両矢印の方向に回転可能に構成されているため、同図に示すような角度を持たせることができる。
【０１１８】
このように、光路変換手段４０が回転することで、ＯＶＦ表示状態とＥＶＦ表示状態とを切り替えることができる構成としている。
【０１１９】
上述のように、上記第１実施形態に係る一眼レフレックスカメラと本実施形態に係る一眼レフレックスカメラとの構成上の主な相違点は、被写体（不図示）からの光束が焦点板１０からミラー１６に至るまでの部分の装置構成である。したがって、本第３実施形態に係る一眼レフレックスカメラのシステム構成は、図３に示すブロック図を参照して説明した上記第１実施形態に係る一眼レフレックスカメラのシステム構成と、上記相違点を除いて同様であるので、重複を避けるために説明を省略する。
【０１２０】
以上説明したように、本第３実施形態に係るファインダー光学系及び該ファインダー光学系を搭載した一眼レフレックスカメラによれば、上記ＬＣＤ３２を、対物光学系である撮影レンズ４から射出される光束の光軸とクイックリターンミラー６で反射される光束の光軸とで形成される平面に対して略垂直方向に所望距離離れた距離に配置することにより、ファインダー系のレイアウトを効率的に行うことができる。つまり、ボディレイアウトの効率が改善され、カメラ本体の小型化が実現する。
【０１２１】
したがって、比較的小さい撮像素子に対応した一眼レフレックスカメラに対しても適用可能で、接眼レンズをＯＶＦ表示とＥＶＦ表示とで併用することが可能であるコンパクトなファインダー光学系及び該ファインダー光学系を搭載した一眼レフレックスカメラ、さらにはＯＶＦ表示とＥＶＦ表示との切り替え及び重ね合わせ表示も可能であるファインダー光学系及び該ファインダー光学系を搭載した一眼レフレックスカメラを提供することができる。
【０１２２】
なお、ＥＶＦでの表示画像は、撮影画像そのものの画像でも良いし、撮影と撮影の間のタイミングでＥＶＦ用に取り込んだ画像でもよい。もちろん、その両方でもよい。また、動画表示をしてもよい。また、所定の操作を行うことで、ＥＶＦにて、撮影した画像の確認及びＯＶＦとの重ね合わせ表示を行ってもよい。
【０１２３】
以上、各実施形態に基づいて本発明を説明したが、上記第１実施形態乃至上記第３実施形態に共通の事項を以下に示す。
【０１２４】
上述の連写モードによる連写撮影においては、１秒間に８コマよりも撮影コマ数が少ない場合には、クイックリターンミラー駆動を行いＯＶＦで確認できるようにしても良いし、ＥＶＦにて確認できるようにしても良い。したがって、どちらで確認をするかを、ユーザによる選択操作により決定できるようにしても良い。
【０１２５】
また、リレー光学系を少なくとも３回の反射で折り曲げることで、カメラ本体をコンパクトな構成にできる。なお、各実施形態における反射の回数は、上記第１実施形態では４回の反射、上記第２実施形態では３回の反射、上記第３実施形態では５回の反射となっている。
【０１２６】
さらには、上記第３実施形態では、５回の反射のうち最初の反射を光路変換手段４０による反射とすることで、装置の構成部材の削減及びカメラ本体のボディスペース効率のさらなる改善が実現する。つまり、部材の削減及び特にボディ厚み方向のスリム化を実現することができる。具体的には、カメラ本体のボディ高さやＬＣＤ３２に付随する回路スペースとリレー光学系との干渉を防ぐ装置構成が可能となる。
【０１２７】
なお、リレー光学系を折り曲げる反射の回数は、少なくとも３回であるということで、３回乃至５回に限らないことは勿論である。
【０１２８】
さらに、上記第１実施形態乃至上記第３実施形態によれば、連写モードによる連写撮影の前後の時間は、ＯＶＦにて良好な被写体像を省電力で確認でき、連写モードによる撮影中は、撮影者の目とカメラ本体との位置関係を変えることなく撮影中の被写体をＥＶＦで確認できる。例えば、主要被写体の移動や連写を終了するタイミングを把握することに対応しやすくなる。
【０１２９】
以上本発明の実施形態について説明したが、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１３０】
【図１】本発明の第１実施形態に係るファインダー光学系を搭載した一眼レフレックスカメラの内部構成を概略的に示した図。
【図２】本発明の第１実施形態に係る一眼レフレックスカメラの撮影時における内部構成を概略的に示した図。
【図３】本発明の第１実施形態に係る一眼レフレックスカメラのシステム構成を示すブロック図。
【図４】本発明の第２実施形態に係るファインダー光学系を搭載した一眼レフレックスカメラの内部構成を概略的に示した図。
【図５】本発明の第３実施形態に係るファインダー光学系を搭載した一眼レフレックスカメラの内部構成（ＯＶＦ時）を概略的に示した図。
【図６】本発明の第３実施形態に係るファインダー光学系を搭載した一眼レフレックスカメラの内部構成（ＥＶＦ時）を概略的に示す図。
【図７】（ａ）は本発明の第３実施形態に係る一眼レフレックスカメラにおけるＯＶＦ表示状態時の光路変換手段、ＬＣＤ、及びミラーを示す図。（ｂ）はＥＶＦ表示状態時の光路変換手段、ＬＣＤ、及びミラーを示す図。
【符号の説明】
【０１３１】
２，３，５…カメラ本体、  ４…撮影レンズ、  ６…クイックリターンミラー、  ８…撮像素子、  １０…焦点板、  １２…光路切り替え手段、  １２ａ…ミラー部、  １２ｂ…素通し部、  １２ｃ…ハーフミラー部、  １４…ミラー、  １６…ミラー、  １８…レンズ群、  ２０…ミラー、  ２２…ミラー、  ２４…レンズ群、  ２６…コンデンサーレンズ、  ２８…２次結像面、  ３０…接眼光学系、  ３１…アイポイント、  ３２…ＬＣＤ、  ３４…フィルタ、  ３６…フィルタ、  ４０…光路変換手段、  ４２…２次結像面、  １００…レンズ鏡筒、  １０２…ボディ制御用マイクロコンピュータ、  １０４…レンズ制御用マイクロコンピュータ、  １０６…通信コネクタ、  １１０…レンズ駆動機構、  １１４…絞り駆動機構、  １１６…測光回路、  １１８…サブミラー、  １２０…ＡＦセンサユニット、  １２２…ＡＦセンサ駆動回路、  １２４…ミラー駆動機構、  １２６…シャッタ部、  １２８…シャッタチャージ機構、  １３０…シャッタ制御回路、  １３２…撮像ユニット、  １３４…防塵フィルタ、  １３６…圧電素子、  １３８…防塵フィルタ駆動回路、  １４０…温度測定回路、  １４２…撮像インターフェイス回路、  １４４…画像処理コントローラ、  １４６…バッファメモリ、  １４８…液晶モニタ、  １５０…ＦｌａｓｈＲＯＭ、  １５２…記録メディア、  １５４…不揮発性メモリ、  １５６…電源回路、  １５８…電池、  １６０…動作表示用ＬＣＤ、  １６２…カメラ操作スイッチ、  １６４…光路切り替え手段駆動機構。
【図１】
2006267381.tif 000003
【図２】
2006267381.tif 000004
【図３】
2006267381.tif 000005
【図４】
2006267381.tif 000006
【図５】
2006267381.tif 000007
【図６】
2006267381.tif 000008
【図７】
2006267381.tif 000009